(57)【要約】【課題】本発明は、極めて商品価値の高い画期的な液体噴射装置を提供することを目的とする。【解決手段】液体を所望部位に噴射する液体噴射装置であって、先端に開口部２ａを有するカバー体２内に液体噴射部１が設けられ、このカバー体２内にはエアーを噴射するエアー噴射部３が設けられ、このエアー噴射部３から噴射されるエアー流は、液体噴射部１から噴射される液体流の外側に該液体流を囲む状態で噴射されるように構成されたものである。【選択図】　　　　図１
2004089917.tif 000002
【特許請求の範囲】
【請求項１】
液体を所望部位に噴射する液体噴射装置であって、先端に開口部を有するカバー体内に液体噴射部が設けられ、このカバー体内にはエアーを噴射するエアー噴射部が設けられ、このエアー噴射部から噴射されるエアー流は、液体噴射部から噴射される液体流の外側に該液体流を囲む状態で噴射されるように構成されていることを特徴とする液体噴射装置。
【請求項２】
請求項１記載の液体噴射装置において、液体噴射部の周囲にエアー噴射部が環状に配設されていることを特徴とする液体噴射装置。
【請求項３】
請求項１，２いずれか１項に記載の液体噴射装置において、前記液体噴射部を先端部に設けた手持ち本体に当該液体噴射部から液体を噴射せしめる噴射操作部を設けたことを特徴とする液体噴射装置。
【請求項４】
請求項１〜３いずれか１項に記載の液体噴射装置において、前記カバー体は先端に開口部を有する円錐形状であり、液体噴射部はこの円錐形状のカバー体の頂点位置内側に設けられ、液体噴射部の前方には液体拡散部が設けられ、この液体拡散部の周囲にエアー噴射部が環状に設けられていることを特徴とする液体噴射装置。
【発明の詳細な説明】
【０００１】
【発明の属する技術分野】
本発明は、従来にない画期的な液体噴射装置に関するものである。
【０００２】
【従来の技術及び発明が解決しようとする課題】
従来から、オフィスビルや高層マンションなどの建築物の外壁部の洗浄は、例えばホースから放出する洗浄水を建築物の外壁部に吹付けて行なうのが一般的であるが、この洗浄水が風にあおられて建築物の周囲に飛散してしまう為、この洗浄作業に際しては、予め建築物の周囲に足場を組み、この足場の周囲にネットを配して建築物の周囲全体を覆ったりしている。
【０００３】
ところが、この水よけ構造体の設置には材料費や人件費がかかるため非常にコスト高であり、しかも、この水よけ構造体の設置作業及び撤去作業は非常に時間がかかってしまい、これが洗浄作業全体の工期遅延の原因となっている。
【０００４】
本出願人は、上述の問題点に着目し、従来にない画期的な作用効果を発揮する液体噴霧装置における液体飛散防止構造を提供する。
【０００５】
【課題を解決するための手段】
添付図面を参照して本発明の要旨を説明する。
【０００６】
液体を所望部位に噴射する液体噴射装置であって、先端に開口部２ａを有するカバー体２内に液体噴射部１が設けられ、このカバー体２内にはエアーを噴射するエアー噴射部３が設けられ、このエアー噴射部３から噴射されるエアー流は、液体噴射部１から噴射される液体流の外側に該液体流を囲む状態で噴射されるように構成されていることを特徴とする液体噴射装置に係るものである。
【０００７】
また、請求項１記載の液体噴射装置において、液体噴射部１の周囲にエアー噴射部３が環状に配設されていることを特徴とする液体噴射装置に係るものである。
【０００８】
また、請求項１，２いずれか１項に記載の液体噴射装置において、前記液体噴射部１を先端部に設けた手持ち本体５に当該液体噴射部１から液体を噴射せしめる噴射操作部６を設けたことを特徴とする液体噴射装置に係るものである。
【０００９】
また、請求項１〜３いずれか１項に記載の液体噴射装置において、前記カバー体２は先端に開口部２ａを有する円錐形状であり、液体噴射部１はこの円錐形状のカバー体２の頂点位置内側に設けられ、液体噴射部１の前方には液体拡散部１３が設けられ、この液体拡散部１３の周囲にエアー噴射部３が環状に設けられていることを特徴とする液体噴射装置に係るものである。
【００１０】
【発明の作用及び効果】
本発明は、例えば液体噴射部１から噴射される液体（液体流）の外側には、エアー噴射部３から噴射されるエアー（エアー流）がある為、該液体流の周囲への飛散が防止される。
【００１１】
具体的には、本発明に係る液体噴射装置を、例えばオフィスビルや高層マンションなどの建築物の外壁洗浄作業にて、壁面に洗浄水を噴射させる場面に適用した場合、壁面に向けて液体噴射部１から洗浄水を噴射すると、例えば液体噴射部１から噴射された洗浄水や、例えば壁面にぶつかって跳ね返った洗浄水がエアー流によってその飛散が防止され、カバー体２の外部へ飛散しない。尚、カバー体２によっても当然洗浄水の飛散は防止される。
【００１２】
以上のように、本発明は、従来にない画期的な作用効果を発揮し、極めて商品価値の高いものになる。
【００１３】
【発明の実施の態様】
図１〜３は本発明の第一実施例、図４〜６は第二実施例を図示したものであり、以下に説明する。
【００１４】
第一実施例について説明する。
【００１５】
第一実施例は、液体を所望部位に噴射する液体噴射装置であって、先端に開口部２ａを有するカバー体２内に液体噴射部１が設けられ、このカバー体２内にはエアーを噴射するエアー噴射部３が設けられ、このエアー噴射部３から噴射されるエアー流は、液体噴射部１から噴射される液体流の外側に該液体流を囲む状態で噴射されるように構成されたものである。尚、本実施例は、オフィスビルや高層マンションなどの建築物の外壁洗浄作業で使用される液体噴射装置として構成したが、例えば自動車洗浄用の液体噴射装置として構成したり、或いは、液体として塗料を採用し、吹付け塗装用の液体噴射装置として構成するなど、液体を噴射させてその飛散を防止したい要求が生じ得る場面で使用される装置であれば適宜設計変更し得るものであり、本実施例の適用範囲は多岐にわたるものである。
【００１６】
具体的には、本実施例は、図示省略の液体圧送ポンプから延設されるホース７を接続するホース接続部８を有し、当該液体圧送ポンプから圧送される液体を流通し得る流通路を有した管状の手持ち本体５を設け、この手持ち本体５の先端部に液体噴射部１としてのノズル体９を設けている。符号５ａはグリップである。
【００１７】
また、手持ち本体５は、その基端部に前述した液体圧送ポンプから圧送される液体の流通を規制する噴射操作部６が設けられており、この噴射操作部６のレバー１０を引くことにより、液体噴射部１から所望のタイミングで液体が噴射されるように構成されている。
【００１８】
また、手持ち本体５は、その先端部に液体拡散部１３が設けられている。
【００１９】
この液体拡散部１３は、図１，２に図示したように手持ち本体５の先端部から突設される支持部材１３ａの先端にお椀状のメッシュ部材１３ｂを配設して構成されており、このメッシュ部材１３ｂは液体噴射部１から噴射される液体の勢いを調整し、拡散せしめることになる。
【００２０】
また、液体拡散部１３の外側にはエアー噴射部３が設けられている。
【００２１】
このエアー噴射部３は、液体拡散部１３の周囲に配設される環状パイプ１１の正面位置に複数の噴射口１１ａを並設して構成され、この環状パイプ１１には手持ち本体５に付設され、図示省略のエアー圧送ポンプから延設されるエアー供給パイプ１２が接続されている。
【００２２】
従って、エアー圧送ポンプから圧送されるエアーは、前記液体噴射部１から噴射される液体と同方向へエアー噴射部３から噴射され、このエアー噴射部３から噴射されるエアー流は、液体噴射部１から噴射される液体流の外側（上方及び左右側方）に該液体流を囲む状態で噴射されることになる。尚、前述した液体噴射部１と同様、エアー噴射部３から所望のタイミングでエアーを噴射せしめる操作部を設けても良い。
【００２３】
また、手持ち本体５には、前述した液体噴射部１及びエアー噴射部３の周囲を囲むカバー体２が設けられている。
【００２４】
カバー体２は、図１に図示したように適宜な合成樹脂製の部材（透明の樹脂）で形成したものであり、先端側程径大となる円錐形状に形成され、その先端部には開口部２ａが形成されている。
【００２５】
このカバー体２は、その頂点位置内側部を手持ち本体５の先端部に着脱自在に被嵌連結し得るように構成されており、液体噴射部１から噴射された液体や建築物の壁面２４に衝突して跳ね返った霧状の液体などの飛散を防止し、このカバー体２の内面２ｂに付着した液体は、下り傾斜テーパー面を伝って開口部２ａから導出されるように構成されている。
【００２６】
このカバー体２の開口部２ａから導出された液体は後述する集水部２１で集められた液体とともに後述するゴンドラ体１５に設けられる排水部２７に集められて排水処理される。
【００２７】
また、本実施例では、前述した液体噴射装置を使用し、壁面２４を洗浄する外壁洗浄作業に適した専用のゴンドラ体１５を設けている。
【００２８】
ゴンドラ体１５は、図３に図示したように所定巾及び所定長さを有する方形状の足場部１６の周囲に平面視コ字状のフェンス部１７を立設状態に設けている。
【００２９】
このフェンス部１７には、その上部に立設部１８ａと、この立設部１８ａから水平方向に突出するハンガー部１８ｂとから成る枠体１８が設置されており、この枠体１８は、液体噴射装置をバランサー１９を介して吊り下げるように構成されているとともに、ゴンドラ体１５の全体を被覆する被覆材としてのネット２０を係止し得るように構成されている。
【００３０】
また、フェンス部１７には、左右フェンス部夫々に駆動装置２５（モーター）が設けられており、この駆動装置２５には建築物の屋上から地面まで垂設されるワイヤー２６が連設せしめられ、この駆動装置２５を駆動させることで、ゴンドラ体１５はワイヤー２６に沿って昇降し得るように構成され、よって、ゴンドラ体１５は建築物の外壁部から所定間隔離れた位置を昇降し得ることになる。
【００３１】
また、ゴンドラ体１５は、その正面下方位置に集水部２１が設けられている。
【００３２】
この集水部２１は、図３に図示したようにコ字状長尺部材にして底面が中央に向けて下り傾斜する樋部材２１ａと、この樋部材２１ａの底面中央位置に貫通する管部材２１ｂとで構成されており、壁面２４を流れる液体が樋部材２１ａに落ち、この樋部材２１ａに入った液体は底面中央位置に集められて管部材２１ｂからゴンドラ体１５に設けた排水部２７へ流れることになる。尚、この排水部２７に集められた液体は地面まで延設されるホース２７ａを介して排水処理される。
【００３３】
また、樋部材２１ａには、その正面上縁部に壁面２４に当接する当接部材２８が傾斜状態で設けられている。
【００３４】
また、本実施例は、当接部材２８としてブラシ部材が採用されている。
【００３５】
この当接部材２８は、壁面２４を流れる液体を樋部材２２へ効率良く誘導するための構成である。
【００３６】
即ち、仮に当接部材２８が板状のものであった場合、壁面２４に当接させても、壁面２４に凹凸があった場合には、この壁面２４の凹部にその先端部が当接することができず、よって、この凹部を流れる液体は樋部材２１ａへ誘導されずに壁面２４を伝って下方に流れてしまうという問題点があるが、この点、本実施例は、当接部材２８としてブラシ部材を採用したから、このブラシ部材であれば壁面２４の凹凸に対応して入り込ませることができ、確実に壁面２４を流れる液体を樋部材２１ａへ誘導することができる。つまり、この当接部材２８としては、壁面２４ａの凹凸に追従する部材であることが望ましく、このブラシ部材の他にも、例えば毛部材など本実施例の特性を発揮し得る構成であれば適宜採用するものである。
【００３７】
以上の構成からなる本装置を使用して外壁洗浄作業を行う場合を説明する。
【００３８】
まず、この外壁洗浄作業は壁面２４に沿って昇降するゴンドラ体１５に作業者が乗って行われる（図３参照）。具体的には、壁面２４に洗浄水を吹付けて付与する洗浄水付与工程と、洗浄剤を塗布する洗浄剤付与工程と、再び洗浄水を吹付けて壁面２４に浮いた汚れを洗い流す仕上げ工程を経て行われるが、この洗浄水付与工程及び仕上げ工程における壁面２４に洗浄水を噴射させる際に液体噴射装置は使用される。
【００３９】
具体的には、壁面２４に向けて液体噴射部１から洗浄水Ｗを噴射すると、例えば液体噴射部１から噴射された直後の洗浄水Ｗや、例えば壁面にぶつかって跳ね返った洗浄水Ｗが、カバー体２の開口部２ａと壁面２４との間隙から周囲へ飛散しようとしても、これらの洗浄水流の外側を覆うようにして流れるエアー噴射部３から噴射されたエアーＡのエアー流によってその飛散が防止されることになる。また、カバー体２によっても洗浄水Ｗの飛散は防止される。
【００４０】
ちなみに、本出願人は、本装置を使用した外壁洗浄作業を実際に試しており、液体噴射部１から噴射された洗浄水Ｗのうち、約８割の洗浄水Ｗは壁面２４を伝って流れて集水部２１から排水部２７を経て排水処理され、残りの約２割の洗浄水Ｗはカバー体２の内面２ｂを伝って流れて開口部２ａから集水部２１・排水部２７を経て廃水処理されることを確認している。
【００４１】
よって、本実施例によれば、洗浄水が飛散したり、落下したりすることが可及的に防止され、よって、従来のように建築物全体をネットで覆うために足場を組んだり、ネットを張ったり、その他にも水受け板を設けたりするなどの水よけ構造体の設置作業は不要となり、洗浄作業が非常にコスト安であり、しかも、飛躍的に洗浄作業全体の工期を短縮することができることになる。
【００４２】
また、本実施例は、ゴンドラ体１５を使用することでより一層良好な洗浄作業が行えることになり、また、ゴンドラ体１５には該ゴンドラ体１５の全体を覆うネット２０を設けたから、万一洗浄水Ｗが飛散しても確実に防止することができ、しかも、周りを見えにくくすることで作業者に安心感を与え良好な作業環境を提供することができ、そして更に、作業が外部から見られることなく非常に体裁が良いことにもなる。
【００４３】
また、本実施例は、液体噴射部１を先端部に設けた手持ち本体５に当該液体噴射部１から洗浄水Ｗを噴射せしめる噴射操作部６を設けたから、作業者は所望の部位へ洗浄水Ｗを噴射させることができることになる。
【００４４】
次に、第二実施例について説明する。
【００４５】
第二実施例は、図４〜６に図示したようにカバー体２に液体導出部４を設けたタイプのものである。
【００４６】
この液体導出部４は、カバー体２の先端下方内面部に貫通するホース体１４を接続して構成され、前述した液体噴射部１から噴射された液体がカバー体２の内面２ｂに付着し、この下り傾斜面を伝って流れた液体が導出されるように構成されている。この液体導出部６により導出された液体は前述した集水部２１で集められた液体とともに後述するゴンドラ体１５に設けられる排水部２７に集められて排水処理される。
【００４７】
その余は第一実施例と同様である。
【図面の簡単な説明】
【図１】第一実施例を示す斜視図である。
【図２】第一実施例の概略動作説明図である。
【図３】第一実施例の使用状態説明図である。
【図４】第二実施例を示す斜視図である。
【図５】第二実施例の概略動作説明図である。
【図６】第二実施例の使用状態説明図である。
【符号の説明】
１　液体噴射部
２　カバー体
２ａ　開口部
３　エアー噴射部
５　手持ち本体
６　噴射操作部
１３　液体拡散部
【図１】
2004089917.tif 000003
【図２】
2004089917.tif 000004
【図３】
2004089917.tif 000005
【図４】
2004089917.tif 000006
【図５】
2004089917.tif 000007
【図６】
2004089917.tif 000008